(57)【要約】【課題】ディスプレイの傾動作業の容易化を図ると共にディスプレイを傾動させたときのキーボードの載置面に対する傾斜角度の変動量を低減する。【解決手段】ディスプレイ２の下端部に回動軸部１４を介して回動自在にキーボード３が支持された電子機器１において、機器本体４にディスプレイを支持機構１８を介して傾動自在に支持させ、該支持機構として、機器本体に取り付けられる第１の被取付部２４ａ、２４ａと、ディスプレイに取り付けられる第２の被取付部４５、４５と、該第２の被取付部より機器本体側に位置されると共にディスプレイの機器本体に対する傾動時にディスプレイの傾動に伴って移動される移動点部４０、４０とを設け、回動軸部が機器本体から離隔する方向へディスプレイが傾動されるに従って移動点部が載置面１００に近付く方向へ移動されるようにし、回動軸部が機器本体に接近する方向へディスプレイが傾動されるに従って移動点部が載置面から離隔する方向へ移動されるようにした。【選択図】        図１１
2004318232.tif 000002
【特許請求の範囲】
【請求項１】
載置面上に載置される機器本体と、前面に表示面を有するディスプレイと、複数の操作キーが設けられ上記載置面上に少なくとも一部が載置された状態で操作キーに対する操作が行われると共にディスプレイの下端部において操作キーが表示面に離接する方向へ回動軸部を介して回動自在に支持されたキーボードとを備えた電子機器であって、
機器本体にディスプレイが支持機構を介してキーボードのディスプレイに対する回動方向と同じ方向へ傾動自在に支持され、
該支持機構は、
機器本体に取り付けられる第１の被取付部と、
ディスプレイに取り付けられる第２の被取付部と、
該第２の被取付部より機器本体側に位置されると共にディスプレイの機器本体に対する傾動時にディスプレイの傾動に伴って移動される移動点部とを備え、
上記回動軸部が機器本体から離隔する方向へディスプレイが傾動されるに従って移動点部が載置面に近付く方向へ移動されるようにし、回動軸部が機器本体に接近する方向へディスプレイが傾動されるに従って移動点部が載置面から離隔する方向へ移動されるようにした
ことを特徴とする電子機器。
【請求項２】
上記第１の被取付部を有する支持部材と、
該支持部材に回動支点部を中心として回動可能とされたブラケットと、
回動支点部を中心として円弧状に延びるように設けられたラックギヤと、
該ラックギヤに噛合されて回転される中間ギヤと、
該中間ギヤに噛合され移動点部を中心として回転される従動ギヤとを備え、
機器本体に対してディスプレイが傾動されるときに中間ギヤと従動ギヤとがディスプレイの傾動方向に応じた方向へ回転されて移動点部が移動されるようにした
ことを特徴とする請求項１に記載の電子機器。
【請求項３】
載置面から離隔する方向へ移動点部を付勢する付勢バネを設けた
ことを特徴とする請求項１に記載の電子機器。
【発明の詳細な説明】
【０００１】
【発明の属する技術分野】
本発明は電子機器に関する。詳しくは、傾動可能なディスプレイの下端部にキーボードが回動自在に支持された電子機器において、ディスプレイの傾動作業の容易化を図ると共にディスプレイを傾動させたときのキーボードの載置面に対する傾斜角度の変動量を低減する技術分野に関する。
【０００２】
【従来の技術】
電子機器には、例えば、複数の操作キーが設けられたキーボードと表示面を有するディスプレイと駆動回路や制御回路等の各種の回路を内部に有する機器本体とを備えたパーソナルコンピュータがある。
【０００３】
パーソナルコンピュータ等の電子機器を使用する場合には、エルゴノミクス（疲れずに快適な使用を行うための科学的な法則性）を考慮すると、一般に、ディスプレイを垂直状態に対して約２５度乃至約３０度傾斜させると共にキーボードを机や作業台等の載置面に対して約５度乃至約９度傾斜させることが望ましいとされている。このような傾斜角度でディスプレイ及びキーボードを使用することにより、作業者の目や首にかかる負担及び手首への負担を軽くすることができるとされている。
【０００４】
パーソナルコンピュータには、ディスプレイの傾斜角度が変更でき、ディスプレイの下端部にキーボードが回動自在に支持されたタイプがある。このようなタイプのパーソナルコンピュータにおいては、本出願人が出願した特願２００２−３６９７６６に示すように、ディスプレイの傾斜角度とキーボードの傾斜角度を一度に調節することができ、また、エルゴノミクスを考慮した傾斜角度を容易に設定できるようにしたものがある。
【０００５】
【発明が解決しようとする課題】
ところが、特願２００２−３６９７６６に示した従来のパーソナルコンピュータにあっては、一体的に形成されたディスプレイと機器本体とがベース部に傾動自在に支持されており、ディスプレイと機器本体とが一体的に形成されている分、重量が大きいため、ディスプレイをベース部に対して傾動するときに大きな力が必要とされ、傾動し難いという不具合がある。
【０００６】
また、本来動かすべきではない駆動回路、制御回路等の各種の回路や発熱部品等が内部に配置された機器本体をも傾動することになり、傾動することによりパーソナルコンピュータ自体の性能の劣化を来たすおそれがある。
【０００７】
さらに、キーボードの回動支点となる入力機器部揺動手段をディスプレイと機器本体の回動支点となるディスプレイ揺動手段より手前側（作業者側）に位置させて、キーボードとディスプレイを同時にエルゴノミクスを考慮した傾斜角度に設定するようにしているが、ディスプレイを傾動したときのキーボードの傾斜角度の変動幅が比較的大きいため、キーボードの傾斜角度が一定せず、傾斜角度によってはキーボードの使い勝手が悪くなってしまうという問題もある。
【０００８】
加えて、作業者によって又は使用状況によっては、ディスプレイの傾斜角度を垂直状態又は垂直状態に近い角度（例えば、０度乃至約２５度）に設定したい場合もあるが、このような場合に従来のパーソナルコンピュータにおいては、キーボードの傾斜角度がエルゴノミクスを考慮した傾斜角度に設定できなくなってしまう。
【０００９】
そこで、本発明電子機器は、上記した問題点を克服し、ディスプレイの傾動作業の容易化を図ると共にディスプレイを傾動させたときのキーボードの載置面に対する傾斜角度の変動量を低減することを課題とする。
【００１０】
【課題を解決するための手段】
本発明電子機器は、上記した課題を解決するために、ディスプレイの下端部に回動軸部を介して回動自在にキーボードが支持された電子機器において、機器本体にディスプレイを支持機構を介して傾動自在に支持させ、該支持機構として、機器本体に取り付けられる第１の被取付部と、ディスプレイに取り付けられる第２の被取付部と、該第２の被取付部より機器本体側に位置されると共にディスプレイの機器本体に対する傾動時にディスプレイの傾動に伴って移動される移動点部とを設け、上記回動軸部が機器本体から離隔する方向へディスプレイが傾動されるに従って移動点部が載置面に近付く方向へ移動されるようにし、回動軸部が機器本体に接近する方向へディスプレイが傾動されるに従って移動点部が載置面から離隔する方向へ移動されるようにしたものである。
【００１１】
従って、本発明電子機器にあっては、移動点部の載置面に近付く方向への移動により、回動軸部の載置面から離隔する方向への移動量が低減される。
【００１２】
【発明の実施の形態】
以下に、本発明電子機器の実施の形態を添付図面に従って説明する。尚、以下に示した実施の形態は、本発明を据置型のパーソナルコンピュータに適用したものである。
【００１３】
電子機器（パーソナルコンピュータ）１はディスプレイ２とキーボード３と機器本体４とを備えている（図１乃至図３参照）。
【００１４】
ディスプレイ２は扁平な横長の略矩形状に形成され、パネル５と該パネル５の前面５ａに設けられた表示面６とを有し、前面５ａの左右両端部にはそれぞれスピーカー部７、７が設けられている。
【００１５】
パネル５の背面５ｂには配置凹部５ｃが形成されている（図４参照）。配置凹部５ｃの内部には取付部材８が設けられている。
【００１６】
パネル５の下縁からは左右に離隔して下方へ突出された支持突部９、９が設けられている（図１参照）。
【００１７】
キーボード３は横長の略矩形状を為す筐体１０に複数の操作キー１１、１１、・・・が配置されて成る（図１参照）。キーボード３は前後で分割された第１の部分１２と第２の部分１３とから成り、第１の部分１２が第２の部分１３に対して折り畳み可能とされている（第１の部分１２が折り畳まれた状態を図３に２点鎖線で示す。）。
【００１８】
筐体１０の奥側の端部には、その左右方向における中央部に被支持突部１０ａが一体に設けられている。被支持突部１０ａは筐体１０の奥側の端部から略上方へ突出するように設けられている。
【００１９】
キーボード３は、被支持突部１０ａがディスプレイ２の支持突部９、９に左右から挟まれた状態で支持されることにより、ディスプレイ２の下端部を回動軸部１４として、操作キー１１、１１、・・・が表示面６に離接する方向へディスプレイ２に回動自在に支持される（図３参照）。
【００２０】
機器本体４は本体部１５とベース部１６とが一体に形成されて成り（図１乃至図３参照）、本体部１５の内部には駆動回路、制御回路等の各種の回路や各回路基板に搭載された発熱部品及び各種のドライブ機構等が配置されている。ベース部１６は本体部１５の下方に設けられ、机や作業台等の載置面１００上に載置される（図３参照）。
【００２１】
本体部１５の右側面には、拡張スロットや各種のコネクター、例えば、ＰＣカードスロット、電源コネクター、オーディオコネクター、電話コネクター、ＵＳＢ（Ｕｎｉｖｅｒｓａｌ  Ｓｅｒｉａｌ  Ｂｕｓ）コネクター、マウスコネクター等が設けられている。
【００２２】
本体部１５の前面１５ａには配置用開口部１５ｂが形成され、該配置用開口部１５ｂの内部には取付板１７が配置されている（図４参照）。
【００２３】
本体部１５にはディスプレイ２が支持機構１８を介して傾動自在に支持される（図４参照）。
【００２４】
支持機構１８は支持部材１９、１９と該支持部材１９、１９が取り付けられたベース板２０とを備えている（図５及び図６参照）。
【００２５】
支持部材１９は底面板部２１と該底面板部２１の外側の側縁から上方へ突出された側面板部２２とから成る。側面板部２２には位置決め孔２２ａ、２２ａが形成されている。側面板部２２の上縁部と下縁部とには、それぞれ側方へ突出された第１のストッパー片２２ｂと第２のストッパー片２２ｃとが設けられている。側面板部２２の前端寄りの位置には円弧状の案内孔２３が形成されている。
【００２６】
支持部材１９、１９は左右に隣接した状態でベース板２０の上面に、例えば、ネジ止めによって取り付けられている。ベース板２０は横長の略矩形状に形成された主面部２４と該主面部２４の後縁の左右両端部を除く部分から上方へ突出された立曲部２５とが一体に形成されて成り、主面部２４の左右両端部を除く部分に支持部材１９、１９が取り付けられている。主面部２４の左右両端部は、機器本体４の上記取付板１７に取り付けられる被取付部２４ａ、２４ａとして設けられている。被取付部２４ａ、２４ａにはネジ挿通孔２４ｂ、２４ｂ、・・・が形成されている。立曲部２５には左右に離隔して位置決め孔２５ａ、２５ａが形成されている。
【００２７】
支持部材１９、１９の底面板部２１、２１には、例えば、ネジ止めによってそれぞれラック部材２６、２６が取り付けられている。ラック部材２６は被取付基部２７と該被取付基部２７の外側の側縁から上方へ突出されたラック形成部２８とから成る。
【００２８】
ラック形成部２８には軸受孔２８ａが形成され、その下方に外方へ突出された位置決めピン２８ｂ、２８ｂが設けられている。ラック形成部２８の後縁には後方へ開口されたバネ掛け凹部２８ｃが形成されている。ラック形成部２８には、その上面から前面に亘って円弧状に延びるラックギヤ２８ｄが形成され、該ラック２８ｄは軸受孔２８ａを中心とした円弧状に形成されている。
【００２９】
ラック部材２６は位置決めピン２８ｂ、２８ｂがそれぞれ支持部材１９の側面板部２２の位置決め孔２２ａ、２２ａに挿入されて位置決めされ、支持部材１９の底面板部２１に取り付けられる。
【００３０】
ラック部材２６、２６の軸受孔２８ａ、２８ａには、それぞれ回動支点部として機能する回動支点軸２９、２９が回転自在に支持されている。回動支点軸２９は、ラック形成部２８の外面側に稍突出され、ラック形成部２８の内面側に大きく突出されている。回動支点軸２９のラック形成部２８の内面側に突出された部分には付勢バネ３０が支持されている。付勢バネ３０はコイルバネであり、外側の端部がラック部材２６のバネ掛け凹部２８ｃに挿入されて支持されている。
【００３１】
支持部材１９、１９間にはブラケット３１、３１が回動自在に支持されている。ブラケット３１は、ベース面部３２と、該ベース面部３２の前縁から上方へ突出された取付面部３３と、ベース面部３２の外側の側縁から上方へ突出された支持面部３４と、ベース面部３２の後縁から上方へ突出されたバネ支持面部３５とが一体に形成されて成る。
【００３２】
支持面部３４は略上下に長い前側支持部３６と該前側支持部３６の下端部から略後方へ突出された後側支持部３７とから成る。前側支持部３６には、その下端寄りの位置に支持孔３６ａが形成され、上端寄りの位置に軸固定孔３６ｂが形成されている。後側支持部３７には、その後端寄りの位置に取付孔３７ａが形成されている。
【００３３】
バネ支持面部３５の内側の端部には下方へ開口されたバネ支持凹部３５ａが形成されている。
【００３４】
ブラケット３１、３１のベース面部３２、３２は板状の連結部材３８によって連結されている。従って、ブラケット３１、３１は一体となって回動される。
【００３５】
ブラケット３１、３１の取付面部３３、３３には、例えば、ネジ止めによってそれぞれ軸受部材３９、３９が取り付けられている。軸受部材３９は縦長の矩形状を為す板状の材料が所定の形状に折り曲げられて形成され、上端部が円筒状に形成された軸受筒部３９ａとして設けられている。軸受部材３９は軸受筒部３９ａが取付面部３３から上方へ突出した状態で該取付面部３３に取り付けられている。
【００３６】
ブラケット３１、３１の支持面部３４、３４の支持孔３６ａ、３６ａには、それぞれ移動点部として機能する移動軸４０、４０が回転自在に支持されている。移動軸４０は軸部４０ａと該軸部４０ａの外端寄りの位置に設けられたフランジ部４０ｂとから成る。
【００３７】
移動軸４０は支持孔３６ａを挿通され、外側の端部が支持部材１９の案内孔２３を挿通されて側面板部２２の外方へ突出されている。移動軸４０の外側の端部が側面板部２２の外方へ突出された状態においては、軸部４０ａに外嵌状に取り付けられた樹脂製のワッシャ４１、４１が側面板部２２を挟んだ位置に配置され、外側のワッシャ４１はフランジ部４０ｂの内側に配置される。
【００３８】
移動軸４０が支持面部３４の支持孔３６ａを挿通された状態において、軸部４０ａが支持面部３４から内側へ大きく突出されている。軸部４０ａの支持面部３４の内側へ突出された部分には従動ギヤ４２が固定されている。軸部４０ａの内側の端部は軸受部材３９の軸受筒部３９ａに回転自在に支持されている。
【００３９】
移動軸４０、４０の軸部４０ａ、４０ａの外側の端部には、それぞれ被取付部材４３、４３が固定されている。従って、移動軸４０、４０と従動ギヤ４２、４２と被取付部材４３、４３とは一体となって回転される。
【００４０】
被取付部材４３は、支持部材１９の側面板部２２の外面に沿って位置される基板部４４と、該基板部４４の前縁から直角に外側へ折り曲げられて形成された被取付部４５とから成り、該被取付部４５にネジ挿通孔４５ａ、４５ａが形成されている。
【００４１】
支持面部３４、３４の軸固定孔３６ｂ、３６ｂには、それぞれギヤ軸４６、４６の外側の端部が固定され、該ギヤ軸４６、４６に中間ギヤ４７、４７が回転自在に支持されている。中間ギヤ４７は従動ギヤ４２及びラック部材２６のラックギヤ２８ｄと噛合されている。従って、中間ギヤ４７がラックギヤ２８ｄに対して回転されると、従動ギヤ４２が中間ギヤ４７に対して回転される。
【００４２】
支持面部３４、３４の取付孔３７ａ、３７ａには、それぞれ上記回動支点軸２９、２９がの外側の端部が固定されている。従って、ブラケット３１、３１は回動支点軸２９、２９を支点として取付面部３３、３３が略上下へ移動される方向へ回動可能とされる。ブラケット３１、３１が回動されるときには、上記移動軸４０、４０、従動ギヤ４２、４２及び被取付部材４３、４３がブラケット３１、３１と一体となって移動される。
【００４３】
取付孔３７ａに回動支点軸２９が挿通された状態においては、回動支点軸２９に支持された付勢バネ３０は支持面部３４の内側に配置され、該付勢バネ３０の他端部がバネ支持面部３５のバネ支持凹部３５ａに挿入されて支持される。付勢バネ３０、３０の一端部がそれぞれラック部材２６、２６のバネ掛け凹部２８ｃ、２８ｃに支持されると共に他端部がそれぞれブラケット３１、３１のバネ支持凹部３５ａ、３５ａに支持されることにより、ブラケット３１、３１は取付面部３３、３３が略上方へ移動される方向へ付勢される。
【００４４】
支持機構１８は、図４に示すように、一部が機器本体４の配置用開口部１５ｂに挿入され、ベース板２０の立曲部２５に形成された位置決め孔２５ａ、２５ａに機器本体４の内部に設けられた図示しない位置決めピンがそれぞれ挿入された状態で、被取付部２４ａ、２４ａが取付板１７に取り付けられて機器本体４に固定される。被取付部２４ａ、２４ａの取付板１７への取付は、例えば、ネジ挿通孔２４ｂ、２４ｂ、・・・にそれぞれ取付ネジ４８、４８、・・・を挿通して取付板１７に螺合することにより行う。
【００４５】
また、支持機構１８は他の一部がディスプレイ２の配置凹部５ｃに挿入され、被取付部材４３、４３の被取付部４５、４５が取付部材８に取り付けられてディスプレイ２に固定される。被取付部４５、４５の取付部材８への取付は、例えば、ネジ挿通孔４５ａ、４５ａ、・・・にそれぞれ取付ネジ４９、４９、・・・を挿通して取付部材８に螺合することにより行う。
【００４６】
上記のように、ディスプレイ２は支持機構１８を介して機器本体４に支持され、ディスプレイ２と機器本体４とは分離されている。従って、機器本体４に支持されているディスプレイ２を、表示面のサイズが異なるディスプレイに変更することが可能であり、所望の画面サイズを有するディスプレイに変更することにより、使い勝手の向上を図ることができる。
【００４７】
ディスプレイの変更は、機器本体４から支持機構１８を取り外し該支持機構１８をディスプレイ２から取り外して新たなディスプレイに取り付け、この支持機構１８を機器本体４に取り付けることにより行うことができ、また、機器本体４に取り付けられた支持機構１８からディスプレイ２を取り外して新たなディスプレイを支持機構１８に取り付けることにより行うこともできる。
【００４８】
尚、上記には、被取付部２４ａ、２４ａの取付板１７への取付及び被取付部４５、４５の取付部材８への取付をネジ止めにより行う例を示したが、例えば、被取付部２４ａ、２４ａ、取付板１７、被取付部４５、４５及び取付部材８に係合部を設け、ネジ止めに代えて、被取付部２４ａ、２４ａの係合部を取付板１７に係合し、被取付部４５、４５の係合部を取付部材８の係合することによりそれぞれを取り付けるようにしてもよい。また、被取付部２４ａ、２４ａを取付板１７に取り付けた状態及び被取付部４５、４５を取付部材８に取り付けた状態においてそれぞれをロックするためのロック機構を設けることも可能である。
【００４９】
以下に、ディスプレイ２が機器本体４に対して傾動されたときの動作について説明する（図７乃至図１０参照）。
【００５０】
先ず、ディスプレイ２が垂直状態、即ち、表示面６が載置面１００に直交する面に沿って位置されているときの各部の状態について説明する（図７参照）。尚、以下の説明にあっては、ディスプレイ２については、垂直状態を０度として説明し、キーボード３については、操作キー１１、１１、・・・が形成された面（上面）が載置面１００に平行な状態を０度として説明する。
【００５１】
ディスプレイ２が垂直状態（０度）とされているときには、例えば、キーボード３が８度５０分の傾斜角度にされている。
【００５２】
移動軸４０、４０はそれぞれ支持部材１９、１９の案内孔２３、２３の上端部に位置され、被取付部材４３、４３の基板部４４、４４の上縁がそれぞれ支持部材１９、１９の第１のストッパー片２２ｂ、２２ｂに接して移動軸４０、４０の上方側への移動が規制されている。
【００５３】
ディスプレイ２をその上端部が機器本体４に近づく方向へ傾動させていくと、ディスプレイ２の傾動に伴って回動支点軸２９がラック部材２６、２６に対して回転されると共に中間ギヤ４７、４７がラック部材２６、２６のラックギヤ２８ｄ、２８ｄ上を下方側へ向けて転動するように同期して回転され、ブラケット３１、３１は回動支点軸２９、２９と一体となって取付面部３３、３３が下方へ移動される方向へ回動される。
【００５４】
従動ギヤ４２、４２は中間ギヤ４７、４７の回転に伴って同期して回転され、従動ギヤ４２、４２に固定された移動軸４０、４０及び該移動軸４０、４０に固定された被取付部材４３、４３も下方側へ移動される。このとき移動軸４０、４０は支持部材１９、１９の案内孔２３、２３に案内されて下方側へ移動される。
【００５５】
同時に、移動軸４０、４０は従動ギヤ４２、４２の回転に伴って軸受部材３９、３９の軸受筒部３９ａ、３９ａに対して回転される。
【００５６】
ディスプレイ２が、上端部が機器本体４に近づく方向へ傾動されていくと、下端部が前方側へ移動しながら上方側へ移動しようとするが、上記のように、ディスプレイ２の傾動時には移動軸４０、４０の下方側への移動に伴って被取付部材４３、４３が下方側へ移動されるため、その分、ディスプレイ２の下端部の上方側への移動が抑制される。従って、ディスプレイ２の下端部にある回動軸部１４は載置面１００に平行な基準線Ｈに略沿うように略前方へ向けて移動される。
【００５７】
このように回動軸部１４がディスプレイ２の傾動時に基準線Ｈに略沿うように移動されるため、キーボード３の載置面１００に対する傾斜角度が略一定とされる。例えば、ディスプレイ２の傾斜角度が０度のときにキーボード３の傾斜角度は８度５０分であり（図７参照）、ディスプレイ２の傾斜角度が１２度のときにキーボード３の傾斜角度は９度２８分であり（図８参照）、ディスプレイ２の傾斜角度が２０度のときにキーボード３の傾斜角度は１０度２４分であり（図９参照）、ディスプレイ２の傾斜角度が２５度のときにキーボード３の傾斜角度は１１度４０分である（図１０参照）。
【００５８】
ディスプレイ２は、例えば、２５度まで傾動可能とされている。ディスプレイ２が２５度まで傾動された状態においては、移動軸４０、４０が支持部材１９、１９の案内孔２３、２３の下端部に位置され、被取付部材４３、４３の基板部４４、４４の下縁がそれぞれ支持部材１９、１９の第２のストッパー片２２ｃ、２２ｃに接して移動軸４０、４０の下方側への移動が規制されている。
【００５９】
逆に、ディスプレイ２が２５度の状態から、その上端部が機器本体４から離隔する方向へ傾動されていくと、ディスプレイ２の傾動に伴って回動支点軸２９が先程とは反対方向へラック部材２６、２６に対して回転されると共に中間ギヤ４７、４７がラック部材２６、２６のラックギヤ２８ｄ、２８ｄ上を上方側へ向けて転動するように同期して回転され、ブラケット３１、３１は回動支点軸２９と一体となって取付面部３３、３３が上方へ移動される方向へ回動される。
【００６０】
従動ギヤ４２、４２は中間ギヤ４７、４７の回転に伴って同期して回転され、従動ギヤ４２、４２に固定された移動軸４０、４０及び該移動軸４０、４０に固定された被取付部材４３、４３も上方側へ移動される。同時に、移動軸４０、４０は従動ギヤ４２、４２の回転に伴って軸受部材３９、３９の軸受筒部３９ａ、３９ａに対して回転される。
【００６１】
ディスプレイ２が、上端部が機器本体４から離隔する方向へ傾動されていくと、下端部が後方側へ移動しながら下方側へ移動しようとするが、上記のように、ディスプレイ２の傾動時には移動軸４０、４０の上方側への移動に伴って被取付部材４３、４３が上方側へ移動されるため、その分、ディスプレイ２の下端部の下方側への移動が抑制される。従って、ディスプレイ２の下端部にある回動軸部１４は載置面１００に平行な基準線Ｈに略沿うように略後方へ向けて移動される。
【００６２】
ディスプレイ２が０度まで傾動された状態においては、移動軸４０、４０が支持部材１９、１９の案内孔２３、２３の上端部に位置され、被取付部材４３、４３の基板部４４、４４の上縁がそれぞれ支持部材１９、１９の第１のストッパー片２２ｂ、２２ｂに接して移動軸４０、４０の上方側への移動が規制される。
【００６３】
尚、ディスプレイ２を２５度から垂直状態へ向けて傾動するときには、ディスプレイ２の自重に反して該ディスプレイ２を傾動させる必要があるが、支持機構１８には移動軸４０、４０を載置面１００から離隔する方向へ付勢する付勢バネ３０、３０が設けられているため、ディスプレイ２を垂直状態へ向けて容易に傾動することができる。
【００６４】
次に、上記した動作を図１１に示す原理図を参照して説明する。尚、以下の説明にあっては、回動支点軸２９の回動中心をＰ、中間ギヤ４７の回転中心をＱ、従動ギヤ４２の回転中心をＲ、回動軸部１４の回動中心をＳ、ディスプレイ２の傾斜角度を示す線をＴとして説明する。
【００６５】
ディスプレイ２がＴ０（傾斜角度０度）からＴ２５（傾斜角度２５度）へ向けて傾斜されると、中間ギヤ４７は回転中心Ｑが回動中心Ｐを中心とした円弧状の軌跡Ｌ１を図１１に示すＡ方向へ移動され、従動ギヤ４２は回転中心Ｒが回転中心Ｐを中心とした円弧状の軌跡Ｌ２をＡ方向へ移動される。従って、回動中心Ｓは緩やかな曲線状の軌跡Ｌ３を移動される。軌跡Ｌ３は基準線Ｈに略沿うように位置する軌跡であるため、回動中心Ｓは基準線Ｈから大きく離隔されない。
【００６６】
逆に、ディスプレイ２がＴ２５からＴ０へ向けて傾斜されると、中間ギヤ４７は回転中心Ｑが回動中心Ｐを中心とした円弧状の軌跡Ｌ１を図１１に示すＢ方向へ移動され、従動ギヤ４２は回転中心Ｒが回転中心Ｐを中心とした円弧状の軌跡Ｌ２をＢ方向へ移動される。
【００６７】
従って、上記のように、ディスプレイ２の傾斜角度が０度から２５度の範囲において、キーボード３は、例えば、８度５０分から１１度４０分という小さな範囲で傾斜される。
【００６８】
以上に記載した通り、電子機器１にあっては、ディスプレイ２と機器本体４とが分離されディスプレイ２が支持機構１８を介して機器本体４に支持されているため、ディスプレイ２の傾動が容易であり、使い勝手の向上を図ることができる。
【００６９】
また、機器本体４は載置面１００に対して常に固定された状態にあるため、機器本体４の内部に配置された駆動回路、制御回路等の各種の回路や発熱部品等が移動されず、電子機器１の良好な性能を維持することができる。
【００７０】
さらに、電子機器１にあっては、回動軸部１４が機器本体４から離隔する方向へディスプレイ２が傾動されるに従って移動軸４０、４０が載置面１００に近付く方向へ移動され、回動軸部１４が機器本体４に接近する方向へディスプレイ２が傾動されるに従って移動軸４０、４０が載置面１００から離隔する方向へ移動されるため、回動軸部１４が載置面１００から大きく離隔せず、キーボード３の載置面１００に対する傾斜角度の変動幅が小さく、ディスプレイ２の傾斜角度に拘わらずキーボード３の傾斜角度が略一定であり、キーボード３の操作キー１１、１１、・・・に対する操作性の向上を図ることができる。
【００７１】
さらにまた、電子機器１にあっては、ラック部材２６、２６と該ラック部材２６、２６に噛合された中間ギヤ４７、４７と該中間ギヤ４７、４７に噛合された従動ギヤ４２、４２とを有し、中間ギヤ４７、４７と従動ギヤ４２、４２がディスプレイ２の傾動方向に応じた方向へ回転されて移動軸４０、４０が移動されるようにしたので、簡素な機構により移動軸４０、４０が確実に移動され、ディスプレイ２の傾動時の動作の信頼性を確保することができる。
【００７２】
加えて、支持機構１８には、移動軸４０、４０を載置面１００から離隔する方向へ付勢する付勢バネ３０、３０を設けているため、ディスプレイ２の自重に反して該ディスプレイ２を傾動させるときの傾動作業が容易であり、ディスプレイ２の傾動作業における作業性の向上を図ることができる。
【００７３】
尚、上記には、本発明をパーソナルコンピュータに適用した例を示したが、本発明は、ワードプロセッサ、ネットワーク端末やワークステーション等の各種の電子機器、ＰＤＡ（Ｐａｓｏｎａｌ  Ｄｉｇｉｔａｌ  Ａｓｓｉｓｔａｎｃｅ）等の電子機器、計測や放送等の分野で使用される各種の専用機器（例えば、スペクトルアナライザやノンリニア編集装置等）等にも適用することができる。
【００７４】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００７５】
【発明の効果】
以上に記載したところから明らかなように、本発明電子機器は、載置面上に載置される機器本体と、前面に表示面を有するディスプレイと、複数の操作キーが設けられ上記載置面上に少なくとも一部が載置された状態で操作キーに対する操作が行われると共にディスプレイの下端部において操作キーが表示面に離接する方向へ回動軸部を介して回動自在に支持されたキーボードとを備えた電子機器であって、機器本体にディスプレイが支持機構を介してキーボードのディスプレイに対する回動方向と同じ方向へ傾動自在に支持され、該支持機構は、機器本体に取り付けられる第１の被取付部と、ディスプレイに取り付けられる第２の被取付部と、該第２の被取付部より機器本体側に位置されると共にディスプレイの機器本体に対する傾動時にディスプレイの傾動に伴って移動される移動点部とを備え、上記回動軸部が機器本体から離隔する方向へディスプレイが傾動されるに従って移動点部が載置面に近付く方向へ移動されるようにし、回動軸部が機器本体に接近する方向へディスプレイが傾動されるに従って移動点部が載置面から離隔する方向へ移動されるようにしたことを特徴とする。
【００７６】
従って、ディスプレイと機器本体とが分離されているため、ディスプレイの傾動が容易であり、使い勝手の向上を図ることができる。
【００７７】
また、機器本体は載置面に対して常に固定された状態にあるため、機器本体の内部に配置された駆動回路、制御回路等の各種の回路や発熱部品等が移動されず、電子機器の良好な性能を維持することができる。
【００７８】
さらに、回動軸部が機器本体から離隔する方向へディスプレイが傾動されるに従って移動点部が載置面に近付く方向へ移動されるため、回動軸部が載置面から大きく離隔せず、キーボードの載置面に対する傾斜角度の変動幅が小さく、キーボードの操作キーに対する操作性の向上を図ることができる。
【００７９】
請求項２に記載した発明にあっては、上記第１の被取付部を有する支持部材と、該支持部材に回動支点部を中心として回動可能とされたブラケットと、回動支点部を中心として円弧状に延びるように設けられたラックギヤと、該ラックギヤに噛合されて回転される中間ギヤと、該中間ギヤに噛合され移動点部を中心として回転される従動ギヤとを設け、機器本体に対してディスプレイが傾動されるときに中間ギヤと従動ギヤとがディスプレイの傾動方向に応じた方向へ回転されて移動点部が移動されるようにしたので、簡素な機構により移動点部が確実に移動され、ディスプレイの傾動時の動作の信頼性を確保することができる。
【００８０】
請求項３に記載した発明にあっては、載置面から離隔する方向へ移動点部を付勢する付勢バネを設けたので、ディスプレイの自重に反して該ディスプレイを傾動させるときの傾動作業が容易であり、ディスプレイの傾動作業における作業性の向上を図ることができる。
【図面の簡単な説明】
【図１】図２乃至図１２と共に本発明電子機器の実施の形態を示すものであり、本図は本発明を適用したパーソナルコンピュータの斜視図である。
【図２】キーボードを閉じた状態で示すパーソナルコンピュータの斜視図である。
【図３】パーソナルコンピュータの側面図である。
【図４】ディスプレイと機器本体とを分離し一部を断面にして示す要部の概略側面図である。
【図５】支持機構の分解斜視図である。
【図６】支持機構の拡大斜視図である。
【図７】図８乃至図１０と共にディスプレイが傾動されたときの各状態を示すものであり、本図はディスプレイが０度の状態を示す概略側面図である。
【図８】ディスプレイが１２度の状態を示す概略側面図である。
【図９】ディスプレイが２０度の状態を示す概略側面図である。
【図１０】ディスプレイが２５度の状態を示す概略側面図である。
【図１１】ディスプレイが傾動されたときの動作原理を示す概念図である。
【符号の説明】
１…電子機器、２…ディスプレイ、３…キーボード、４…機器本体、６…表示面、１１…操作キー、１４…回動軸部、１８…支持機構、１９…支持部材、２４ａ…被取付部（第１の被取付部）、２８ｄ…ラックギヤ、２９…回動支点軸（回動支点部）、３０…付勢バネ、３１…ブラケット、４０…移動軸（移動点部）、４２…従動ギヤ、４５…被取付部（第２の被取付部）、４７…中間ギヤ、１００…載置面
【図１】
2004318232.tif 000003
【図２】
2004318232.tif 000004
【図３】
2004318232.tif 000005
【図４】
2004318232.tif 000006
【図５】
2004318232.tif 000007
【図６】
2004318232.tif 000008
【図７】
2004318232.tif 000009
【図８】
2004318232.tif 000010
【図９】
2004318232.tif 000011
【図１０】
2004318232.tif 000012
【図１１】
2004318232.tif 000013